(57)【要約】【課題】棚柱が設置される内側パネルの変形を簡単な構造で防止できるショーケースを提供する。【解決手段】ショーケース本体の背壁部２１を内側パネル２１ａと外側パネル２１ｂとの間に断熱プレート２１ｃを挟んで構成し、棚受け６が支持される棚柱５をネジ８１を介して内側パネル２１ａに締結したショーケースにおいて、棚柱５は背壁部２１を挟み込んで内側パネル２１ａに締結した構造となっている。これにより、ネジ８１で棚柱５を締結する際、内側パネル２１ａと外側パネル２１ｂと断熱プレート２１ｃからなる背壁部２１が一体的に挟み込まれ、背壁部２１の内面（内側パネル２１）が断熱プレート２１ｃ及び外側パネル２１ｂにより補強される。【選択図】  図１
2004215707.tif 000002
【特許請求の範囲】
【請求項１】
ショーケース本体の背壁部を内側パネルと外側パネルとの間に断熱プレートを挟んで構成し、棚受けが支持される棚柱を締結部材を介して該内側パネルに締結したショーケースにおいて、
前記棚柱は前記背壁部を挟み込んで前記内側パネルに締結した
ことを特徴とするショーケース
【請求項２】
前記棚柱は、前記外側パネルの外面に配置された補強プレートを介して締結した
ことを特徴とする請求項１記載のショーケース。
【請求項３】
前記棚柱の下端に取付プレートが延在され、該取付プレートは前記ショーケース本体の底壁部を挟んでショーケース本体支持用の台枠に締結した
ことを特徴とする請求項１又は請求項２記載のショーケース。
【請求項４】
前記締結部材はネジ締結部材である
ことを特徴とする請求項１乃至請求項３の何れか一項記載のショーケース。
【請求項５】
前記棚柱はショーケース本体の左右両端部の間に位置する中棚柱である
ことを特徴とする請求項１乃至請求項４の何れか一項記載のショーケース。
【発明の詳細な説明】
【０００１】
【発明の属する技術分野】
本発明は、棚受けが支持される棚柱の設置構造を改良したショーケースに関するものである。
【０００２】
【従来の技術】
スーパーマーケット等の店舗内には、図９及び図１０に示すように、冷蔵商品などを展示販売する大型のオープンショーケース１が設置されている。このオープンショーケース１は台枠１１に設置された断熱性のショーケース本体２を有しており、その内部に商品陳列用の内箱１２を配置している。また、内箱１２の内側には商品陳列室３を形成する一方、内箱１２の外側には冷気ダクト１３を形成しており、図１０の実線矢印に示すように、冷気ダクト１３内に冷気が循環して商品棚４上の商品を保冷している。
【０００３】
このように構成されたオープンショーケースにおいて、商品陳列室３の左右両端及び中央には図１１及び図１２に示すよう棚柱５が設置されている。この棚柱５の係止穴５ａには棚受け６のフック６ａが引っ掛けられており、これにより、棚受け６が棚柱５に支持され、更には、図９及び図１０に示すように、棚受け６上に載置された商品棚４が商品陳列室３に支持される。
【０００４】
ところで、棚柱５の設置構造はショーケース本体２の壁部構造に左右される。例えば、ショーケース本体２の背壁部２１の構造が、内側パネル２１ａと外側パネル２１ｂとの間に断熱材用空間を形成し、この空間に液状の発泡断熱材を注入して発泡一体成形した構造となっている場合は、棚柱５を内側パネル２１ａにネジ締結するだけでよい。なぜなら、ショーケース本体２を発泡一体成形する際、各パネル２１ａ，２１ｂと断熱材とが強固に密着した状態となって成形されるため、内側パネル２１ａの強度が断熱材や外側パネル２１ｂによって補強され、内側パネル２１ａだけでも棚柱５を強固に保持できるからである。
【０００５】
一方、ショーケース本体２の壁部構造として、背壁部２１が内側パネル２１ａと外側パネル２１ｂとの間に断熱プレート２１ｃを挟んで構成した場合は、図１１及び図１２に示すように、内側パネル２１ａの裏側に補強プレート２２を配置し、この補強プレート２２により内側パネル２１ａを補強した上でネジ７にて締結しなければならない。なぜなら、断熱プレート２１ｃは各パネル２１ａ，２１ｂの間に単に配置されているにすぎず、断熱プレート２１ｃ及び外側パネル２１ｂが内側パネル２１ａの補強材として機能していないからである。
【０００６】
【特許文献１】
特開平７−５１１５０号公報
【０００７】
【発明が解決しようとする課題】
ところで、近年、環境保全や資源リサイクルの観点から、オープンショーケースを廃棄する際は金属製の各パネル２１ａ，２１ｂと樹脂製の断熱部材を区分けして廃棄処理するよう要望されており、この要望に応えるため、各部材の分解が容易な構造となっている、後者のショーケース本体構造が主流になりつつある。
【０００８】
しかしながら、後者のショーケース本体構造では、棚柱５を設置する際は補強プレート２２が必要不可欠となっており、部品点数が増大するという問題点を有していた。また、内側パネル２１ａには商品棚４及び棚受け６の荷重はもとより商品荷重がかかるため変形し易く、これを回避するためには、補強プレート２２として長大なものが必要となる。
【０００９】
本発明の目的は前記従来の課題に鑑み、棚柱が設置される内側パネルの変形を簡単な構造で防止できるショーケースを提供することにある。
【００１０】
【課題を解決するための手段】
本発明は前記課題を解決するため、請求項１の発明は、ショーケース本体の背壁部を内側パネルと外側パネルとの間に断熱プレートを挟んで構成し、棚受けが支持される棚柱を締結部材を介して内側パネルに締結したショーケースにおいて、棚柱は背壁部を挟み込んで内側パネルに締結した構造となっている。本発明によれば、締結部材で棚柱を締結する際、内側パネルと外側パネルと断熱プレートからなる背壁部が一体的に挟み込まれ、背壁部の内面（内側パネル）が断熱プレート及び外側パネルにより補強される。
【００１１】
請求項２の発明は、請求項１のショーケースにおいて、棚柱は、外側パネルの外面に配置された補強プレートを介して締結した構造となっている。本発明によれば、補強プレートにより強度が向上する。なお、この補強プレートは従来の如き長大なものを必要としない。
【００１２】
請求項３の発明は、請求項１又は請求項２のショーケースにおいて、棚柱の下端に取付プレートが延在され、取付プレートはショーケース本体の底壁部を挟んでショーケース本体支持用の台枠に締結した構造となっている。本発明によれば、棚柱にかかる商品荷重等が背壁部の内側パネルだけでなく底壁部及び台枠によっても支持されるため、内側パネルの変形が確実に防止される。
【００１３】
なお、締結部材はネジ締結部材を用いてもよい（請求項４）。また、棚柱はショーケース本体の左右両端部の間に位置する中棚柱に用いるようにしてもよい（請求項５）。内側パネルのうち左右方向中央が最も変形し易い箇所であり、このような箇所に設置された中棚柱において最もその効果を発揮する。
【００１４】
【発明の実施の形態】
図１乃至図４は本発明に係るショーケースの第１実施形態を示すもので、図１は中棚柱の設置構造を示す組立斜視図、図２は中棚柱の設置構造を示す正面図、図３は中棚柱の設置構造を示す断面図、図４は締結部材としてボルト・ナット締結部材を用いた例を示す断面図である。なお、従来例を示す図９乃至図１２に示すショーケースと同一構成部分は同一符号をもって説明するとともに、その詳細な説明は省略する。
【００１５】
本実施形態に係るショーケースは図９乃至図１２図に示したオープンショーケースを同一の構造となっており、台枠に設置されたショーケース本体の内側には間隔をおいて内箱１２が配置されている。また、内箱１２の内側には商品陳列室が形成される一方、内箱１２の外側には冷気ダクト１３が形成され、この冷気ダクト１３を通じて商品陳列室内に冷気が循環し、各商品棚に陳列された商品が保冷されるようになっている。
【００１６】
本実施形態に係るショーケースは棚柱の取付構造を改良したものとなっている。この取付構造を従来技術と同一構成部分も含めて詳細に説明する。なお、棚柱５は商品棚の左右両端と左右中央に配置されているが、この実施形態では左右中央に配置された中棚柱５を例として掲げ説明する。
【００１７】
中棚柱５は、図１に示すように、断面逆コ字状に形成された柱本体５１と柱本体５１の開口端から外方向に延在したフランジ部５２とを有している。柱本体５１の前面には横並びに２個の引っ掛け穴５ａが上下に多数段に亘って形成されている。上下に隣接する引っ掛け穴５ａに棚受け６のフック６ａを引っ掛け、棚受け６を中棚柱５に支持している。一方、フランジ部５２には内面にネジ山を螺刻したネジ穴５３ａが上下に複数形成されており、このネジ穴５３ａにネジ８１が螺合するようになっている。
【００１８】
また、ショーケース本体の背壁部２１は、内側パネル２１ａと外側パネル２１ｂと各パネル２１ａ，２１ｂの間に介在された断熱プレート２１ｃとから構成されている。また、各パネル２１ａ，２１ｂ及び断熱プレート２１ｃで前記中棚柱５のネジ穴５３ａと対向する箇所には、図３に示すように、貫通孔２３ａ，２３ｂ，２３ｃが形成されている。また、ネジ８１が貫通穴２３ａ，２３ｂ，２３ｃを貫通してネジ穴５３ａに螺合しており、ネジ８１にて中棚柱５が内側パネル２１ａの前面に締結されている。なお、ネジ８１の先端にはこれを隠蔽するキャップ８１ａを被せている。
【００１９】
なお、ネジ締結部材として図４に示すボルト・ナット締結部材８２を使用するようにしてもよい。即ち、ネジ穴をネジが螺刻されていない貫通穴５３ｂで形成するとともに、ボルト８２ａの軸部８２ｂを貫通穴２３ａ，２３ｂ，２３ｃ，５３ｂに貫通させナット８２ｃを締めて締結される。
【００２０】
本実施形態によれば、ネジ８１又はボルト・ナット締結部材８２で背壁部２１を挟み込んで中棚柱５が内側パネル２１ａに締結されるため、内側パネル２１ａが断熱プレート２１ｃ及び外側パネル２１ｂにより補強される。従って、商品棚に置かれた商品から大きな商品荷重がかかったとしても、内側パネル２１ａが変形することがなく、また、背壁部２１側の冷気ダクト１３が変形することがない。
【００２１】
図５及び図６は本発明に係るショーケースの第２実施形態を示すものである。なお、前記第１実施形態と同一構成部分は同一符号を用いるとともに、その説明を省略する。
【００２２】
本実施形態では補強プレート９を加えて中棚柱５を締結している。即ち、補強プレート９は外側パネル２１ｂの外側に配置され、中棚柱５と同様に上下に延在されている。また、補強プレート９で中棚柱５のネジ穴５３ａと対向する箇所には、図６に示すように、貫通孔９１が形成されている。また、ネジ８１が貫通穴９１，２３ａ，２３ｂ，２３ｃを貫通してネジ穴５３ａに螺合しており、ネジ８１にて中棚柱５が内側パネル２１ａの前面に締結されている。
【００２３】
本実施形態によれば、補強プレート９を挟み込んだ分、中棚柱５の取付強度が更に向上する。なお、その他の構成、作用は前記第１実施形態と同様である。
【００２４】
図７及び図８は本発明に係るショーケースの第３実施形態を示すものである。なお、前記第２実施形態と同一構成部分は同一符号を用いるとともに、その説明を省略する。
【００２５】
本実施形態では中棚柱５を改良した構造となっている。即ち、中棚柱５はその柱本体５１の下端に水平に延在された取付プレート５４を形成し、この取付プレート５４には貫通穴５４ａが形成されている。一方、ショーケース本体を支持する台枠１１の上部には中棚柱５の貫通穴５４ａと対向するようネジ穴１１ａが穿設されている。
【００２６】
また、ショーケース本体の底壁部２４は、内側パネル２４ａと外側パネル２４ｂと各パネル２４ａ，２４ｂの間に介在された断熱プレート２４ｃとから構成されている。また、各パネル２４ａ，２４ｂ及び断熱プレート２４ｃで貫通孔５４ａ及びネジ穴１１ａと対向する箇所には、図８に示すように、貫通孔２５ａ，２５ｂ，２５ｃが形成されている。また、ネジ８３が貫通穴５４ａ、２５ａ，２５ｂ，２５ｃを貫通してネジ穴１１ａに螺合しており、ネジ８３にて中棚柱５の取付プレート５４が内側パネル２４ａの上面に締結されている。
【００２７】
本実施形態によれば、中棚柱５にかかる商品荷重等が背壁部２１の内側パネル２１ａだけでなく底壁部２４及び台枠１１によっても支持されるため、背壁部２１の内側パネル２１ａの変形が確実に防止される。なお、その他の構成、作用は前記第２実施形態と同様である。
【００２８】
前記各実施形態では中棚柱５に基づいて説明したが、商品棚の両端で棚受け６を支持する図示しない棚柱について同様の構造を採用できることはいうまでもない。
【００２９】
【発明の効果】
以上説明したように、本発明によれば、締結部材で棚柱を締結する際、内側パネルと外側パネルと断熱プレートからなる背壁部が一体的に挟み込まれ、内側パネルが断熱プレート及び外側パネルにより補強されるため、内側パネルに対して棚柱を介して大きな商品荷重がかかったとしても、内側パネルが変形することがない。また、背壁部を挟み込むよう締結するだけで足り、その締結構造も極めて簡単なものとなっている。
【００３０】
また、請求項３の発明によれば、棚柱にかかる商品荷重等が背壁部の内側パネルだけでなく底壁部及び台枠によっても支持され、内側パネルの変形が確実に防止される。
【図面の簡単な説明】
【図１】第１実施形態に係る中棚柱の設置構造を示す組立斜視図
【図２】第１実施形態に係る中棚柱の設置構造を示す正面図
【図３】第１実施形態に係る中棚柱の設置構造を示す断面図
【図４】第１実施形態に係る締結部材としてボルト・ナット締結部材を用いた例を示す断面図
【図５】第２実施形態に係る中棚柱の設置構造を示す組立斜視図
【図６】第２実施形態に係る中棚柱の設置構造を示す断面図
【図７】第３実施形態に係る中棚柱の設置構造を示す組立斜視図
【図８】第３実施形態に係る中棚柱の設置構造を示す断面図
【図９】オープンショーケースの斜視図
【図１０】オープンショーケースの断面図
【図１１】従来の中棚柱の設置構造を示す組立斜視図
【図１２】従来の中棚柱の設置構造を示す断面図
【符号の説明】
１…オープンショーケース、２…ショーケース本体、４…商品棚、５…中棚柱、６…棚受け、９…補強プレート、１１…台枠、１３…冷気ダクト、２１…背壁部、２４…底壁部、２１ａ、２４ａ…内側パネル、２１ｂ，２４ｂ…外側パネル、２１ｃ，２４ｃ…断熱プレート、５４…取付プレート、８１，８２…ネジ。
【図１】
2004215707.tif 000003
【図２】
2004215707.tif 000004
【図３】
2004215707.tif 000005
【図４】
2004215707.tif 000006
【図５】
2004215707.tif 000007
【図６】
2004215707.tif 000008
【図７】
2004215707.tif 000009
【図８】
2004215707.tif 000010
【図９】
2004215707.tif 000011
【図１０】
2004215707.tif 000012
【図１１】
2004215707.tif 000013
【図１２】
2004215707.tif 000014